(57)【要約】      （修正有）【課題】開いた状態及び閉じた状態のアオリに立て掛けて使用することができるアオリ用梯子装置を提供する。【解決手段】梯子装置１０は、縦フレーム２２の上下方向中間部に一対の中間掛止具３０が設けられている。また、縦フレームの上端部に、上右用掛止具４０及び上左用掛止具５０が設けられている。すなわち、中間掛止具と、上右用掛止具及び上左用掛止具と、が上下方向に離間して配置されている。これにより、開いた状態のアオリに中間掛止具を掛け止めることで、開いた状態のアオリに梯子装置を立て掛けることができる。一方、閉じた状態のアオリに、上右用掛止具及び上左用掛止具を掛け止めることで、閉じた状態のアオリに梯子装置を立て掛けることができる。【選択図】図１
0003217219.tif 000002
【実用新案登録請求の範囲】
【請求項１】
上下方向に延在された一対の縦柱と、左右方向に延在され且つ一対の前記縦柱に架け渡された複数の横柱と、を含んで構成された梯子本体と、
一対の前記縦柱の上下方向中間部にそれぞれ設けられ、開いた状態のアオリの縁部に掛け止め可能に構成された一対の第１掛止具と、
一対の前記縦柱の上端部にそれぞれ設けられ、閉じた状態のアオリの縁部に掛け止め可能に構成された一対の第２掛止具と、
長尺柱状に形成され、一対の前記第２掛止具の一方に長手方向一端部が連結された手摺柱と、
を備えたアオリ用梯子装置。
【請求項２】
前記第１掛止具及び前記第２掛止具が上下方向に移動可能に前記縦柱に固定されている請求項１に記載のアオリ用梯子装置。
【請求項３】
前記手摺柱は、一対の前記第２掛止具の一方に設けられた支持フレームによって、前記縦柱と平行に配置される格納位置と、前記縦柱に対して傾斜して配置される展開位置と、の間を回転可能に支持されており、
前記支持フレームには、前記格納位置又は前記展開位置において前記手摺柱と係合して、前記手摺柱を前記格納位置又は前記展開位置に保持する保持部材が設けられている請求項１又は請求項２に記載のアオリ用梯子装置。
【請求項４】
前記保持部材は、
前記支持フレームに設けられたホルダに回転可能に支持されたアーム部と、
前記アーム部に設けられ、前記支持フレームに着脱可能に構成された係合部材と、
を含んで構成されており、
前記手摺柱には、前記格納位置において前記係合部材が挿入される第１係合孔と、前記展開位置において前記係合部材が挿入される第２係合孔と、が形成されている請求項３に記載のアオリ用梯子装置。
【請求項５】
前記アーム部が、Ｕ字形状に屈曲され且つバネ性を有する線材によって構成されており、前記アーム部の長手方向中間部に前記係合部材が連結され、
前記ホルダが前記アーム部の長手方向両端部を、前記アーム部の幅方向内側へ弾性変形させた状態で、回転可能に支持している請求項４に記載のアオリ用梯子装置。
【考案の詳細な説明】
【技術分野】
【０００１】
本考案は、アオリ用梯子装置に関する。
【背景技術】
【０００２】
下記特許文献１には、アオリ板固定梯子が記載されている。このアオリ板固定梯子は、アオリ板（単に「アオリ」ともいう）に固定されており、アオリ板を開いたときには、複数のステップが自重によってアオリ板と垂直の方向に展開する。これにより、作業者の脚をステップに載せて、作業者が昇降することができる。一方、アオリ板を閉じたときには、複数のステップが自重によってアオリ板と平行になって収納される。これにより、作業者の利便性を向上することができる。
【先行技術文献】
【特許文献】
【０００３】
【特許文献１】特許第５４０３３０１号公報
【考案の概要】
【考案が解決しようとする課題】
【０００４】
しかしながら、上記アオリ板固定梯子では、以下に示す点において改善の余地がある。すなわち、上記アオリ板固定梯子では、上述のように、アオリ板を閉じたときには、アオリ板固定梯子を使用することができなくなる。このため、アオリ板を閉じたときにも、作業者がトラックの荷台に昇降できるように構成することが望ましい。
【０００５】
本考案は、上記事実を考慮して、開いた状態及び閉じた状態のアオリに立て掛けて使用することができるアオリ用梯子装置を提供することを目的とする。
【課題を解決するための手段】
【０００６】
本考案の１又はそれ以上の実施形態は、上下方向に延在された一対の縦柱と、左右方向に延在され且つ一対の前記縦柱に架け渡された複数の横柱と、を含んで構成された梯子本体と、一対の前記縦柱の上下方向中間部にそれぞれ設けられ、開いた状態のアオリの縁部に掛け止め可能に構成された一対の第１掛止具と、一対の前記縦柱の上端部にそれぞれ設けられ、閉じた状態のアオリの縁部に掛け止め可能に構成された一対の第２掛止具と、長尺柱状に形成され、一対の前記第２掛止具の一方に長手方向一端部が連結された手摺柱と、を備えたアオリ用梯子装置である。
【０００７】
本考案の１又はそれ以上の実施形態は、前記第１掛止具及び前記第２掛止具が上下方向に移動可能に前記縦柱に固定されているアオリ用梯子装置である。
【０００８】
本考案の１又はそれ以上の実施形態は、前記手摺柱は、一対の前記第２掛止具の一方に設けられた支持フレームによって、前記縦柱と平行に配置される格納位置と、前記縦柱に対して傾斜して配置される展開位置と、の間を回転可能に支持されており、前記支持フレームには、前記格納位置又は前記展開位置において前記手摺柱と係合して、前記手摺柱を前記格納位置又は前記展開位置に保持する保持部材が設けられているアオリ用梯子装置である。
【０００９】
本考案の１又はそれ以上の実施形態は、前記保持部材は、前記支持フレームに設けられたホルダに回転可能に支持されたアーム部と、前記アーム部に設けられ、前記支持フレームに着脱可能に構成された係合部材と、を含んで構成されており、前記手摺柱には、前記格納位置において前記係合部材が挿入される第１係合孔と、前記展開位置において前記係合部材が挿入される第２係合孔と、が形成されているアオリ用梯子装置である。
【００１０】
本考案の１又はそれ以上の実施形態は、前記アーム部が、Ｕ字形状に屈曲され且つバネ性を有する線材によって構成されており、前記アーム部の長手方向中間部に前記係合部材が連結され、前記ホルダが前記アーム部の長手方向両端部を、前記アーム部の幅方向内側へ弾性変形させた状態で、回転可能に支持しているアオリ用梯子装置である。
【考案の効果】
【００１１】
上記構成のアオリ用梯子装置によれば、開いた状態及び閉じた状態のアオリに立て掛けて使用することができる。
【図面の簡単な説明】
【００１２】
【図１】図１（Ａ）は、本実施の形態に係るアオリ用梯子装置を示す左側から見た側面図であり、図１（Ｂ）は、図１（Ａ）に示されるアオリ用梯子装置を示す正面図である。
【図２】図２は、図１（Ａ）に示されるアオリ用梯子装置をアオリに立て掛けた状態を示す側面図である。
【図３】図３は、図１に示される上右用掛止具及び上左用掛止具をアオリに掛け止めた状態を示す前側から見た斜視図である。
【図４】図４は、図１に示される上右用掛止具及び上左用掛止具をアオリに掛け止めた状態を示す後側から見た斜視図である。
【図５】図５は、図４に示される回転機構を示す斜視図である。
【図６】図６（Ａ）は、図５に示される回転機構を示す側面図であり、図６（Ｂ）は、図６（Ａ）の状態から手摺柱を展開位置に回転させた状態を示す側面図である。
【図７】図７は、図１に示されるアオリ用梯子装置を、開いた状態のアオリに立て掛けた状態を示す斜視図である。
【図８】図７は、図１に示されるアオリ用梯子装置を、閉じた状態のアオリに立て掛けた状態を示す斜視図である。
【考案を実施するための形態】
【００１３】
以下、図面を用いて、本実施の形態に係るアオリ用梯子装置１０（以下、単に「梯子装置１０」という）について説明する。この梯子装置１０は、トラックＴのアオリＲに立て掛ける梯子装置として構成されている。なお、図面において適宜示される矢印ＵＰは、梯子装置１０の上側を示しており、矢印ＲＨは、梯子装置１０の右側（幅方向一方側）を示しており、矢印ＦＲは、梯子装置１０の前側を示している。
【００１４】
図１（Ａ）及び（Ｂ）に示されるように、梯子装置１０は、梯子本体２０と、梯子本体２０の上下方向中間部に設けられた一対の「第１掛止具」としての中間掛止具３０と、梯子本体２０の上端部に設けられた「第２掛止具」としての上右用掛止具４０及び「第２掛止具」としての上左用掛止具５０と、上左用掛止具５０に設けられた手摺柱８０と、手摺柱８０を回転可能に支持する回転機構６０と、を含んで構成されている。以下、梯子装置１０の各構成について説明する。
【００１５】
（梯子本体２０について）
梯子本体２０は、左右一対の「縦柱」としての縦フレーム２２と、複数（本実施の形態では、５本）の「横柱」としての横フレーム２４と、を含んで構成されている。そして、梯子本体２０をトラックＴのアオリＲに立て掛けて、作業者が、横フレーム２４に脚を載せて梯子本体２０を昇降できるように、梯子本体２０のサイズが設定されている。具体的には、梯子本体２０の幅寸法が、一例として略４００ｍｍに設定されており、梯子装置１０の上下寸法が、一例として略１７６０ｍｍに設定されている。
【００１６】
＜縦フレーム２２について＞
縦フレーム２２は、アルミニウムによって構成されると共に、上下方向に延在された中空の矩形柱状に形成されている。また、縦フレーム２２は、左右方向に所定の間隔を空けて配置されて、梯子本体２０の幅方向両端部を構成している。
【００１７】
＜横フレーム２４について＞
横フレーム２４は、縦フレーム２２と同様にアルミニウムによって構成されており、左右方向に延在された中空の矩形柱状に形成されている。そして、横フレーム２４の長手方向両端部が、縦フレーム２２に固定されて、横フレーム２４が、縦フレーム２２に架け渡されている。また、複数の横フレーム２４は、上下方向に所定の間隔を空けて並んで配置されている。詳しくは、最も上側に配置された横フレーム２４が、縦フレーム２２の上端よりも下側に配置されており、最も下側に配置された横フレーム２４が、縦フレーム２２の下端よりも上側に配置されている。
【００１８】
（中間掛止具３０について）
左右一対の中間掛止具３０は、縦フレーム２２の長手方向中間部にそれぞれ設けられている。具体的には、中間掛止具３０が、上から２番目の横フレーム２４と、上から３番目の横フレーム２４と、の間に配置されている。この中間掛止具３０は、縦フレーム２２に固定された掛止固定部３２と、アオリＲの縁部に掛け止め可能に構成された掛止片３４と、を含んで構成されている。
【００１９】
掛止固定部３２は、上側から見て、前側へ開放された略Ｕ字形板状に形成されている。具体的には、掛止固定部３２は、前後方向を板厚方向とした後壁３２Ａと、後壁３２Ａの幅方向両端部から前方側へ延出された左右一対の側壁３２Ｂと、を含んで構成されている。また、一対の側壁３２Ｂの間の距離は、縦フレーム２２の幅寸法よりも若干大きく設定されており、掛止固定部３２の内部に縦フレーム２２が挿入されている。
【００２０】
また、掛止固定部３２における一対の側壁３２Ｂにおける先端部には、左右方向を軸方向とする固定ボルトＢ１が架け渡されている。固定ボルトＢ１の先端部は、掛止固定部３２から幅方向外側へ突出されており、固定ボルトＢ１の先端部には、固定ナットＮ１が螺合されている。そして、掛止固定部３２の内部に縦フレーム２２を挿入した状態で、固定ボルトＢ１及び固定ナットＮ１によって一対の側壁３２Ｂを掛止固定部３２の幅方向内側へ締め付けることで、中間掛止具３０が縦フレーム２２に固定されている。なお、固定ボルトＢ１及び固定ナットＮ１による締付を解除することで、中間掛止具３０が縦フレーム２２に対して上下方向に相対移動可能に構成されている。また、固定ボルトＢ１及び固定ナットＮ１による締付を解除することで、中間掛止具３０を、縦フレーム２２の任意の位置に配置して、固定させることができるようになっている。
【００２１】
掛止片３４は、左右方向から見て、略逆Ｌ字形板状に形成されて、掛止固定部３２から後側へ延出されている。具体的には、掛止片３４は、掛止固定部３２の後壁３２Ａの上端部から後側へ延出された第１掛止片３４Ａと、第１掛止片３４Ａの先端部から下方側へ延出された第２掛止片３４Ｂと、を含んで構成されている。また、第１掛止片３４Ａの延出長さは、トラックＴのアオリＲの板厚寸法よりも若干大きく設定されている。さらに、第１掛止片３４Ａは、側面視で、後側へ向かうに従い上側へ若干傾斜しており、梯子装置１０をアオリに立て掛けたときに、第１掛止片３４Ａが水平に配置され、第２掛止片３４Ｂが鉛直方向に沿って配置されるようになっている（図２参照）。そして、開いた状態のアオリＲの上端部を、掛止片３４の内部に下側から挿入して、中間掛止具３０をアオリＲに掛け止めて、梯子装置１０がアオリＲに立て掛けられるようになっている（図２参照）。
【００２２】
（上右用掛止具４０について）
図３及び図４に示されるように、上右用掛止具４０は、右側の縦フレーム２２の上端部（詳しくは、最も上側に配置された横フレーム２４よりも上側の端部）に設けられている。上右用掛止具４０は、中間掛止具３０と同様に構成されている。すなわち、上右用掛止具４０は、Ｕ字形状に屈曲された掛止固定部４２と、掛止固定部４２から後側へ延出され且つ側面視で略逆Ｌ字形状に屈曲された掛止片４４と、とを含んで構成されている。
【００２３】
そして、掛止固定部４２が、上側から見て、前側へ開放された略Ｕ字形板状に形成されて、前後方向を板厚方向とした後壁４２Ａと、後壁４２Ａの幅方向両端部から前方側へ延出された左右一対の側壁４２Ｂと、を含んで構成されている。さらに、掛止固定部４２における一対の側壁４２Ｂにおける先端部に、固定ボルトＢ１が架け渡されており、固定ボルトＢ１の先端部には、固定ナットＮ１が螺合されている。そして、掛止固定部４２の内部に縦フレーム２２を挿入した状態で、固定ボルトＢ１及び固定ナットＮ１によって一対の側壁４２Ｂを掛止固定部４２の幅方向内側へ締め付けることで、上右用掛止具４０が、右側の縦フレーム２２の上端部に固定されている。なお、固定ボルトＢ１及び固定ナットＮ１による締付を解除することで、上右用掛止具４０が縦フレーム２２に対して上下方向に相対移動可能に構成されている。
【００２４】
掛止片４４は、中間掛止具３０の掛止片３４と同様に構成されている。すなわち、掛止片４４は、掛止固定部４２の後壁４２Ａの上端部から後側へ延出された第１掛止片４４Ａと、第１掛止片４４Ａの先端部から下方側へ延出された第２掛止片４４Ｂと、を含んで構成されている。そして、閉じた状態のアオリＲの上端部を、掛止片４４の内部に下側から挿入して、上右用掛止具４０をアオリＲに掛け止めて、梯子装置１０がアオリＲに立て掛けられるようになっている。
【００２５】
（上左用掛止具５０について）
図３及び図４に示されるように、上左用掛止具５０は、上右用掛止具４０と対を成して、閉じた状態のアオリＲに掛け止められる掛止具として構成されている。この上左用掛止具５０は、左側の縦フレーム２２の上端部に固定された掛止固定部５２と、掛止固定部５２から後側へ延出された掛止片５４と、を含んで構成されている。掛止固定部５２は、上下方向を軸方向とする略矩形筒状に形成されており、掛止固定部５２の内部に、左側の縦フレーム２２の上端部が嵌入されて、掛止固定部５２（すなわち、左側の上左用掛止具５０）が、左側の縦フレーム２２の上端部に固定されている。そして、上下方向における上左用掛止具５０の位置が、上下方向における上右用掛止具４０の位置と略一致している。
【００２６】
掛止片５４は、中間掛止具３０の掛止片３４と同様に構成されている。すなわち、掛止片５４は、梯子装置１０の幅方向から見て、略逆Ｌ字形板状に形成されている。また、掛止片５４は、掛止固定部５２の後壁の上端部から後側へ延出された第１掛止片５４Ａと、第１掛止片５４Ａの先端部から下方側へ延出された第２掛止片５４Ｂと、を含んで構成されている。
【００２７】
そして、閉じた状態のアオリＲの上端部を、上左用掛止具５０の掛止片５４の内部に下側から挿入して、上左用掛止具５０をアオリＲに掛け止めて、梯子装置１０をアオリＲに立て掛けるようになっている。
【００２８】
（回転機構６０について）
図３〜図６に示されるように、回転機構６０は、上左用掛止具５０に設けられて、後述する手摺柱８０を回転可能に支持する機構として構成されている。この回転機構６０は、上左用掛止具５０に固定された支持フレーム６２と、保持部材６６と、保持部材６６を回転可能に保持するホルダ６４と、を含んで構成されている。
【００２９】
＜支持フレーム６２について＞
支持フレーム６２は、アルミニウムの板材によって構成されている。この支持フレーム６２は、上側から見て、前方側へ開放された略Ｕ字形板状に屈曲されている。具体的には、支持フレーム６２は、前後方向を板厚方向とした後壁６２Ａと、後壁６２Ａの幅方向両端部から前方側へ延出された一対の側壁６２Ｂと、を含んで構成されている。そして、支持フレーム６２が上左用掛止具５０の左側に隣接して配置されて、溶接等によって上左用掛止具５０に固定されている。また、支持フレーム６２の上左用掛止具５０への固定状態では、支持フレーム６２の後面と上左用掛止具５０の後面とが面一に配置されている。
【００３０】
図６（Ａ）及び（Ｂ）に示されるように、支持フレーム６２の側壁６２Ｂは、側面視で、略逆Ｌ字形状に形成されている。具体的には、側壁６２Ｂの長手方向中間部には、前方側へ向かうに従い下側へ傾斜された傾斜壁部６２Ｂ１が形成されており、傾斜壁部６２Ｂ１の先端部が下側へ延出されている。傾斜壁部６２Ｂ１の先端部には、後述する保持部材６６の係合ピン７０が挿入される円形状のフレーム側係合孔６２Ｃ（図６（Ａ）参照）が貫通形成されている。そして、以下の説明では、側面視で、フレーム側係合孔６２Ｃの中心を通過し且つ傾斜壁部６２Ｂ１の傾斜方向に沿って延在された架空線を基準線Ｌとしており、基準線Ｌに沿った方向を傾斜方向（図６（Ａ）の矢印Ａ方向及び矢印Ｂ方向）としている。
【００３１】
さらに、一対の傾斜壁部６２Ｂ１の先端部には、フレーム側係合孔６２Ｃの下側の位置において、後述する手摺柱８０を回転可能に支持するための支持ボルトＢ２が架け渡されており、支持ボルトＢ２は、左右方向を軸方向として配置されている。また、支持ボルトＢ２の先端部は、支持フレーム６２から幅方向外側へ突出されており、当該先端部には、支持ナットＮ２が螺合されている。
【００３２】
＜ホルダ６４について＞
図５及び図６に示されるように、ホルダ６４は、アルミニウムの板材によって構成されると共に、右側へ開放された略Ｕ字板形状に形成されている。具体的には、ホルダ６４は、側面視で傾斜方向に対して直交する直交方向を板厚方向とし且つ当該直交方向に離間して配置された一対の支持壁６４Ａと、支持壁６４Ａの左端部同士を連結する連結壁６４Ｂと、を含んで構成されている。そして、ホルダ６４が、フレーム側係合孔６２Ｃに対して傾斜方向一方側（図６（Ａ）の矢印Ａ方向側）の位置において、支持フレーム６２の左側に隣接して配置されており、一対の支持壁６４Ａの右端部が、溶接等によって支持フレーム６２に固定されている。また、ホルダ６４の支持フレーム６２への固定状態では、側面視で、基準線Ｌが連結壁６４Ｂの中央部を通過するように、ホルダ６４が配置されている。すなわち、側面視で、一対の支持壁６４Ａが、基準線Ｌに対して対称を成す位置に配置されている。
【００３３】
＜保持部材６６について＞
保持部材６６は、「アーム部」としてのワイヤ６８と、「係合部材」としての係合ピン７０と、を含んで構成されている。ワイヤ６８は、金属の丸棒状の線材によって構成されると共に、バネ性を有している。そして、ワイヤ６８が、左側から見て、傾斜方向一方側へ開放された略Ｕ字形状に屈曲されている。具体的には、ワイヤ６８は、ワイヤ６８の長手方向中間部を構成するワイヤ中間部６８Ａと、ワイヤ中間部６８Ａの両端部から傾斜方向一方側へ延出された一対のワイヤ腕部６８Ｂと、を含んで構成されている。
【００３４】
一対のワイヤ腕部６８Ｂは、側面視で、ホルダ６４の支持壁６４Ａと略平行に配置されており、一対のワイヤ腕部６８Ｂの先端側の部分が、ホルダ６４における一対の支持壁６４Ａの間に配置されている。また、ワイヤ６８の幅寸法は、一対の支持壁６４Ａの間の距離と比べて若干大きく設定されている。すなわち、一対のワイヤ腕部６８Ｂが、一対の支持壁６４Ａによって押圧されて、ワイヤ６８の幅方向内側へ若干弾性変形した状態で、一対の支持壁６４Ａの間に配置されている。換言すると、一対のワイヤ腕部６８Ｂが、一対の支持壁６４Ａによって挟み込まれた状態で、一対の支持壁６４Ａの間に配置されている。
【００３５】
また、一対のワイヤ腕部６８Ｂの先端部は、ワイヤ６８の幅方向外側（つまり、支持壁６４Ａ側）へ屈曲された、回転軸６８Ｃとして構成されており、一対の回転軸６８Ｃが同軸上に配置されている。そして、一対の回転軸６８Ｃが、ホルダ６４の支持壁６４Ａに回転可能に支持されている。これにより、保持部材６６が、側面視で、傾斜方向に直交する方向を軸方向として、ホルダ６４に回転可能に連結されている。
【００３６】
また、一対のワイヤ腕部６８Ｂの長手方向中間部には、円環状に屈曲された屈曲部６８Ｄが、それぞれ形成されている。これにより、一対のワイヤ腕部６８Ｂの曲げ剛性が、屈曲部６８Ｄによって高くなるように構成されている。
【００３７】
係合ピン７０は、金属製とされると共に、全体として左右方向を軸方向とした略段付き円柱状に形成されている。具体的には、係合ピン７０は、係合ピン７０の左側部分を構成するピン本体７０Ａと、係合ピン７０の右側部分を構成するピン係合部７０Ｂと、を含んで構成されている。
【００３８】
ピン本体７０Ａは、左右方向を軸方向とした略円柱状に形成されている。ピン本体７０Ａの左側面には、左側へ開放されたスリット７０Ａ１が形成されており、スリット７０Ａ１は左側から見て傾斜方向に対して直交する直交方向に沿って延在されると共に、当該直交方向に貫通している。また、スリット７０Ａ１の底部には、スリット７０Ａ１の延在方向に貫通された円形状の挿通孔７０Ａ２が形成されている。そして、ワイヤ６８のワイヤ中間部６８Ａがピン本体７０Ａの挿通孔７０Ａ２内に回転可能に配置されている。これにより、係合ピン７０が、ワイヤ６８と共に、ワイヤ６８の回転軸６８Ｃの軸回りに回転可能に連結されている。
【００３９】
ピン係合部７０Ｂは、ピン本体７０Ａよりも小径の略円柱状に形成されて、ピン本体７０Ａから右側へ突出されている。具体的には、ピン係合部７０Ｂの直径寸法が、支持フレーム６２のフレーム側係合孔６２Ｃの直径寸法と比べて、僅かに小さく設定されている。そして、ピン係合部７０Ｂが、支持フレーム６２のフレーム側係合孔６２Ｃ内に左側から挿入されている（図５の２点鎖線及び図６（Ｂ）に示される係合ピン７０の位置であり、以下、係合ピン７０における、この位置を「係合位置」と称する）。そして、係合ピン７０の係合位置では、ピン係合部７０Ｂの先端部が、支持フレーム６２の内側に配置されて、後述する手摺柱８０と係合するようになっている。一方、係合位置の係合ピン７０を作業者によって左側へ引き出して、ワイヤ６８を回転させることで、係合ピン７０と手摺柱８０との係合状態が解除されるようになっている（図５の実線及び図６（Ａ）に示される係合ピン７０の位置であり、以下、係合ピン７０における、この位置を「非係合位置」と称する）。
【００４０】
なお、前述のように、ワイヤ６８では、一対のワイヤ腕部６８Ｂが、一対の支持壁６４Ａによってワイヤ６８の幅方向内側へ弾性変形した状態で、一対の支持壁６４Ａの間に配置されている。このため、ホルダ６４には、ワイヤ６８の弾性力が作用しており、このワイヤ６８の弾性力によって、保持部材６６が係合位置又は非係合位置において保持される構成になっている。
【００４１】
（手摺柱８０について）
図１〜図６に示されるように、手摺柱８０は、縦フレーム２２と同様に、アルミニウムによって構成されると共に、中空の矩形柱状に形成されている。この手摺柱８０の長手方向一端部は、支持フレーム６２の内側に配置されると共に、支持ボルトＢ２によって回転可能に支持されている。これにより、手摺柱８０が、支持フレーム６２に回転可能に支持されている。具体的には、手摺柱８０が、支持フレーム６２から下側へ延出された状態に配置される格納位置（図１に示される位置）と、格納位置から前側へ回転した展開位置（図２に示される位置）と、の間を回転するように構成されている。より詳しくは、手摺柱８０の格納位置では、手摺柱８０が、側面視で、縦フレーム２２と平行に配置されるようになっている。一方、手摺柱８０の展開位置では、手摺柱８０が縦フレーム２２に対して傾斜して配置されるようになっている。そして、梯子装置１０をトラックＴのアオリＲに立て掛けたときに、展開位置の手摺柱８０が支持フレーム６２から鉛直方向上側へ延出されるように、展開位置における手摺柱８０の縦フレーム２２に対する傾斜角度が設定されている。
【００４２】
手摺柱８０の左側の側壁には、支持ボルトＢ２に対して手摺柱８０の基端側（長手方向一方側）の位置において、第１係合孔８０Ａ（図６（Ｂ）参照）が貫通形成されている。この第１係合孔８０Ａの内径寸法は、支持フレーム６２のフレーム側係合孔６２Ｃの内径寸法と略一致しており、手摺柱８０の格納位置において、第１係合孔８０Ａがフレーム側係合孔６２Ｃと同軸上に配置されるように、第１係合孔８０Ａの位置が設定されている。そして、手摺柱８０の格納位置において、係合ピン７０のピン係合部７０Ｂを手摺柱８０の第１係合孔８０Ａ内に挿入することで、係合ピン７０が手摺柱８０に係合して、手摺柱８０が格納位置に保持されるようになっている。
【００４３】
さらに、手摺柱８０の左側の側壁には、支持ボルトＢ２に対して手摺柱８０の先端側（長手方向他方側）の位置において、第２係合孔８０Ｂ（図６（Ａ）参照）が貫通形成されている。この第２係合孔８０Ｂの内径寸法は、第１係合孔８０Ａの内径寸法と略一致しており、手摺柱８０の展開位置において、第２係合孔８０Ｂがフレーム側係合孔６２Ｃと同軸上に配置されるように、第２係合孔８０Ｂの位置が設定されている。そして、手摺柱８０の展開位置において、係合ピン７０のピン係合部７０Ｂを手摺柱８０の第２係合孔８０Ｂ内に挿入することで、係合ピン７０が手摺柱８０に係合して、手摺柱８０が展開位置に保持されるようになっている。
【００４４】
（作用効果）
次に、本実施の形態の作用効果について説明する。
【００４５】
梯子装置１０の不使用時には、手摺柱８０が格納位置に保持されている。そして、開いた状態のアオリＲに梯子装置１０に立て掛けるときには、始めに、手摺柱８０を格納位置から展開位置に回転させて、展開位置に保持させる。具体的には、作業者によって、係合位置に配置された係合ピン７０を左側へ引き出すと共に、保持部材６６を、ワイヤ６８の回転軸６８Ｃの軸回りに回転させて、非係合位置に配置させる。これにより、手摺柱８０と係合ピン７０との係合状態が解除されて、手摺柱８０の支持フレーム６２に対する相対回転が許可された状態になる。
【００４６】
この状態で、手摺柱８０を、回転方向一方側（図６（Ａ）の矢印Ｃ方向側）へ回転させて、展開位置に配置させる。その後、保持部材６６を、ワイヤ６８の回転軸６８Ｃの軸回りに回転させて、非係合位置から係合位置に配置させる。これにより、保持部材６６における係合ピン７０のピン係合部７０Ｂが、支持フレーム６２のフレーム側係合孔６２Ｃ及び手摺柱８０の第２係合孔８０Ｂ内に挿入されて、フレーム側係合孔６２Ｃ及び第２係合孔８０Ｂと係合する。その結果、手摺柱８０が、展開位置に保持される。
【００４７】
そして、開いた状態のアオリＲの上側に中間掛止具３０の掛止片３４を配置して、当該アオリＲの上端部を掛止片３４の内部に挿入する。これにより、図７に示されるように、中間掛止具３０が、開いた状態のアオリＲに掛け止められて、梯子装置１０がアオリＲに立て掛けられる。この状態で、梯子装置１０の横フレーム２４に、作業者の脚を載せて、作業者が梯子装置１０を昇降する。また、作業者の梯子装置１０の昇降時には、作業者が手摺柱８０を把持しながら、梯子装置１０を昇降する。
【００４８】
梯子装置１０の使用後には、梯子装置１０を、開いた状態のアオリＲの上端部から取外し、取外し後に、手摺柱８０を展開位置から格納位置に回転させる。具体的には、作業者によって、係合位置に配置された係合ピン７０を左側へ引き出して、保持部材６６をワイヤ６８の回転軸６８Ｃの軸回りに回転させて、非係合位置に配置させる。これにより、手摺柱８０と係合ピン７０との係合状態が解除されて、手摺柱８０の支持フレーム６２に対する相対回転が許可された状態になる。
【００４９】
この状態で、手摺柱８０を、回転方向他方側（図６（Ｂ）の矢印Ｄ方向側）へ回転させて、格納位置に配置させる。その後、保持部材６６を、ワイヤ６８の回転軸６８Ｃの軸回りに回転させて、非係合位置から係合位置に配置させる。これにより、保持部材６６の係合ピン７０のピン係合部７０Ｂが、支持フレーム６２のフレーム側係合孔６２Ｃ及び手摺柱８０の第１係合孔８０Ａ内に挿入されて、フレーム側係合孔６２Ｃ及び第２係合孔８０Ｂと係合される。その結果、手摺柱８０が、格納位置に保持される。
【００５０】
一方、閉じた状態のアオリＲに梯子装置１０に立て掛けるときには、上記と同様に、始めに手摺柱８０を格納位置から展開位置に回転させて、手摺柱８０を展開位置に保持させる。そして、閉じた状態のアオリＲの上側に上左用掛止具５０の掛止片５４及び上右用掛止具４０の掛止片４４を配置して、当該アオリＲの上端部を掛止片５４及び掛止片４４の内部に挿入する。これにより、図８に示されるように、上右用掛止具４０及び上左用掛止具５０が、閉じた状態のアオリＲに掛け止められて、梯子装置１０がアオリＲに立て掛けられる。
【００５１】
この状態で、梯子装置１０の横フレーム２４に、作業者の脚を載せて、作業者が梯子装置１０を昇降する。また、作業者の梯子装置１０の昇降時には、作業者が手摺柱８０を把持しながら、梯子装置１０を昇降する。そして、梯子装置１０の使用後には、梯子装置１０を、閉じた状態のアオリＲの上端部から取外し、梯子装置１０の取外し後に、上記と同様に、手摺柱８０を、展開位置から格納位置に回転させて、格納位置に保持させる。
【００５２】
以上説明したように、本実施の形態の梯子装置１０によれば、縦フレーム２２の上下方向中間部に一対の中間掛止具３０が設けられている。また、縦フレーム２２の上端部に、上右用掛止具４０及び上左用掛止具５０が設けられている。すなわち、梯子装置１０では、中間掛止具３０と、上右用掛止具４０及び上左用掛止具５０と、が上下方向に離間して配置されている。これにより、開いた状態のアオリＲに中間掛止具３０を掛け止めることで、開いた状態のアオリＲに梯子装置１０を立て掛けることができる。一方、閉じた状態のアオリＲに、上右用掛止具４０及び上左用掛止具５０を掛け止めることで、閉じた状態のアオリＲに梯子装置１０を立て掛けることができる。以上により、開いた状態及び閉じた状態のアオリＲに梯子装置１０を立て掛けて使用することができる。
【００５３】
また、中間掛止具３０は、後壁３０Ａと、後壁３０Ａの幅方向両端部から前側へ延出された一対の側壁３０Ｂと、を含んで構成されており、一対の側壁３０Ｂの先端部には、固定ボルトＢ１が架け渡されている。そして、固定ボルトＢ１及び固定ナットＮ１によって一対の側壁３０Ｂを、中間掛止具３０の幅方向内側へ締め付けることで、中間掛止具３０が縦フレーム２２に固定されている。一方、固定ボルトＢ１及び固定ナットＮ１による締付を解除することで、中間掛止具３０が縦フレーム２２に対して相対移動可能に構成されている。これにより、開いた状態のアオリＲの位置に応じて、中間掛止具３０の位置を微調整することができる。
【００５４】
さらに、手摺柱８０は、回転機構６０の支持フレーム６２に回転可能に支持されて、格納位置と展開位置との間を回転可能に構成されている。そして、支持フレーム６２には、ホルダ６４を介して保持部材６６が設けられており、保持部材６６の係合ピン７０が、手摺柱８０に係合することで、手摺柱８０が、格納位置又は展開位置に保持される。したがって、梯子装置１０の使用時には、手摺柱８０を展開位置に配置することで、使用者が手摺柱８０を把持して梯子装置１０を昇降することができる。これにより、使用者に対する安全性を向上することができる。一方、梯子装置１０の不使用時には、手摺柱８０を格納位置に配置することで、梯子装置１０の収納時における省スペース化を図ることができる。これにより、梯子装置１０の収納性を向上することができる。
【００５５】
また、回転機構６０における保持部材６６は、ホルダ６４に回転可能に連結されたワイヤ６８と、ワイヤ６８に設けられた係合ピン７０と、を含んで構成されている。そして、手摺柱８０の格納位置では、係合ピン７０のピン係合部７０Ｂが手摺柱８０の第１係合孔８０Ａに挿入されて、係合ピン７０と手摺柱８０とが係合する。一方、手摺柱８０の展開位置では、係合ピン７０のピン係合部７０Ｂが手摺柱８０の第２係合孔８０Ｂに挿入されて、係合ピン７０と手摺柱８０とが係合する。これにより、簡易な構成で、手摺柱８０を格納位置又は展開位置に保持することができる。
【００５６】
また、回転機構６０のワイヤ６８は、バネ性を有する線材によって構成されると共に、Ｕ字形状に屈曲されている。そして、ワイヤ６８の長手方向両端部（一対のワイヤ腕部６８Ｂの先端部）が、ホルダ６４の一対の支持壁６４Ａの間に配置されて、一対の支持壁６４Ａによってワイヤ６８の幅方向内側へ弾性変形した状態で、一対の支持壁６４Ａに回転可能に支持されている。このため、ホルダ６４には、ワイヤ６８の幅方向外側への弾性力が作用している。これにより、ワイヤ６８のこの弾性力によって、保持部材６６を係合位置又は非係合位置に保持させることができる。
【００５７】
なお、本実施の形態の梯子装置１０では、左側の縦フレーム２２を、上左用掛止具５０の掛止固定部５２内に嵌入させて、上左用掛止具５０が縦フレーム２２に固定されている。これに代えて、上左用掛止具５０を左側の縦フレーム２２に対して相対移動可能に固定してもよい。この場合には、例えば、上左用掛止具５０の掛止固定部５２が縦フレーム２２に対して相対移動可能となるように、掛止固定部５２の大きさを設定する。そして、例えば、掛止固定部５２の右側の側壁に孔部を形成すると共に、左側の縦フレーム２２の上端部における右側壁に上下方向に並ぶ、雌ネジ部付きの複数の孔部を形成する。そして、掛止固定部５２に形成した孔部内に固定用のボルトを挿入し、当該ボルトを縦フレーム２２の雌ネジ部に螺合させることで、上左用掛止具５０を左側の縦フレーム２２に固定してもよい。
これにより、閉じた状態のアオリＲの位置に応じて、上右用掛止具４０及び上左用掛止具５０の位置を微調整して、梯子装置１０をアオリＲに立て掛けることができる。
【００５８】
また、本実施の形態では、回転機構６０及び手摺柱８０が、上左用掛止具５０に設けられているが、回転機構６０及び手摺柱８０を上右用掛止具４０に設けてもよい。また、回転機構６０及び手摺柱８０を、上右用掛止具４０及び上左用掛止具５０に設けてもよい。
【符号の説明】
【００５９】
１０          アオリ用梯子装置
２０          梯子本体
２２          縦フレーム（縦柱）
２４          横フレーム（横柱）
３０          中間掛止具（第１掛止具）
４０          上右用掛止具（第２掛止具）
５０          上左用掛止具（第２掛止具）
６２          支持フレーム
６４          ホルダ
６６          保持部材
６８          ワイヤ（アーム部）
７０          係合ピン（係合部材）
８０          手摺柱
８０Ａ        第１係合孔
８０Ｂ        第２係合孔
【図１】
0003217219.tif 000003
【図２】
0003217219.tif 000004
【図３】
0003217219.tif 000005
【図４】
0003217219.tif 000006
【図５】
0003217219.tif 000007
【図６】
0003217219.tif 000008
【図７】
0003217219.tif 000009
【図８】
0003217219.tif 000010